(57)【要約】【課題】  静電気除去及び帯電防止機能の低下を少なくし、さらにその機能を向上させた光ディスクを得る。【解決手段】  この光ディスク１は、透光性基板２、色素を含む記録層３、反射層４を備え、接着層６を介して樹脂基板７が貼り合わされている。さらに、光入射面にはハードコート層８が形成されている。このハードコート層８は、静電気除去機能を有しており、外周縁１０、さらには外周面１１まで被覆形成されている。【選択図】図１
2007305280.tif 000002
【特許請求の範囲】
【請求項１】
中心部に孔を有する透光性の樹脂基板と、記録層と、反射層を備えた光ディスクであって、帯電防止機能を有するハードコート層で前記光ディスクの少なくとも光入射面側を被覆しており、前記ハードコート層は前記光ディスクの外周縁まで被覆していることを特徴とする光ディスク。
【請求項２】
前記ハードコート層は前記光ディスクの外周面まで延長して被覆していることを特徴とする請求項１に記載の光ディスク。
【請求項３】
前記光ディスクは、複数の樹脂基板を有しかつ該複数の樹脂基板が接着層を介して貼り合わされている光ディスクであって、前記接着層は導電性樹脂で形成されかつ前記光ディスクの外周面及び内周面に露出しており、前記ハードコート層は前記接着層と前記光ディスクの外周面で接触していることを特徴とする請求項１に記載の光ディスク。
【請求項４】
前記ハードコート層が、ＪＩＳ＿Ｌ１０９４に準拠した方法で測定した時の帯電電圧の半減期が５分以下であることを特徴とする請求項１〜３に記載の光ディスク。
【請求項５】
前記ハードコート層の厚みが３〜１０μｍであることを特徴とする請求項４に記載の光ディスク。
【発明の詳細な説明】
【技術分野】
【０００１】  本発明は、帯電によって埃や塵が付着することを防止する、静電気除去機能を有する光ディスクに関するものである。
【背景技術】
【０００２】  ＣＤ−Ｒ、ＤＶＤ±Ｒ、ブルーレイディスク等の光ディスクは、図４に示すように、ポリカーボネート（ＰＣ）等の透光性基板２上に、記録層３、反射層４を順次形成し、その上に保護層５（ＣＤ−Ｒ：図４（ａ））または接着層６を介して樹脂基板７（ＤＶＤ±Ｒ、ブルーレイディスク：図４（ｂ））を形成したものである。このような光ディスク１ａ、１ｂは、記録密度が高く、ディスク表面に傷が付いたりすると、読み取りエラーが発生するため、近年では光入射面（記録面）にハードコート層８を形成するようになってきた。【０００３】  また、このような光ディスク１ａ、１ｂは、樹脂基板で形成されているため、静電気を帯びやすく、これによって埃や塵が付着しやすいものであった。この埃や塵が光ディスクの読み取り面に付着すると、信号の読み取りエラーが発生する等の問題があった。【０００４】  そこで、静電気の除去及び帯電防止の方法が各社から提案されている。例えば、特許第３１９０７２２号公報では、読み取り面側にハードコート層を施したディスクであって、ハードコート層を２層とし、そのうちの１層が導電性薄膜となっており、この導電性薄膜がディスクの内周部で露出してディスクドライブのチャッキングに接触することにより静電気を除去する構造が提案されている。また、特許第３０７８００６号公報では、ハードコート層の中に、導電性粒子を含有させて埃や塵を付きにくくする方法が提案されている。【０００５】
【特許文献１】特許第３１９０７２２号公報
【特許文献２】特許第３０７８００６号公報
【発明の開示】
【発明が解決しようとする課題】
【０００６】  光ディスクの内周部は、チャッキング時に大きな力が加わる。そのため、特許第３１９０７２２号公報にあるような内周部に導電性薄膜が露出した構造では、ディスクの着脱を繰返すうちに内周部のハードコートが削れてしまい、静電気除去及び帯電防止機能が低下するという問題があった。また、特許第３０７８００６号公報に示された構造では、導電粒子が経時変化によってにじみ出してきてしまい、これにより導電性が低下するため、静電気除去及び帯電防止機能が低下するという問題があった。【０００７】  本発明は、上記のような、静電気除去及び帯電防止機能の低下を防ぐと共に、さらに静電気除去及び帯電防止機能を向上させることを目的とするものである。
【課題を解決するための手段】
【０００８】  本発明では、中心部に孔を有する透光性の樹脂基板と、記録層と、反射層を備えた光ディスクであって、帯電防止機能を有するハードコート層で前記光ディスクの少なくとも光入射面側を被覆しており、前記ハードコート層は前記光ディスクの外周縁まで被覆していることを特徴とする光ディスクを提案する。また、さらに前記ハードコート層は前記光ディスクの外周面まで延長して被覆していることを特徴とする光ディスクを提案する。【０００９】  この構成によると、光ディスクの外周縁は人体に頻繁に触れる部分なので、人体を通して静電気を放電させることが可能である。また、通常の使用において、外周面は内周部と比較して加わる外力が小さいので、ハードコートが削れることがなく、静電気除去及び帯電防止機能の低下を防ぐことができる。また、光入射面と垂直な面である外周面までハードコート層を被覆することにより、ハードコート層と人体との接触をより確実に行うことができる。【００１０】  また、本発明ではさらに、前記光ディスクが、複数の樹脂基板を有しかつ該複数の樹脂基板が接着層を介して貼り合わされている光ディスクであって、前記接着層は導電性樹脂で形成されかつ前記光ディスクの外周面及び内周面に露出しており、前記ハードコート層が前記接着層と前記光ディスクの外周面で接触していることを特徴とする光ディスクを提案する。【００１１】  この構成によると、接着層は光ディスクの厚み方向中間付近にあり、内周面のこの部分はチャッキング時にかかる外力が内周面の光照射面部分に比べて小さいので、外力によって削られることが少ない。また、経時変化による導電粒子のにじみ出しがないため、接着層の導電性が低下することがなく、静電気除去及び帯電防止機能の低下を防ぐことができる。また、外周面でハードコート層と接触するため、人体とディスクドライブの両方から静電気を放電させることが可能になる。また、接着層は光を通す必要がないため、導電粒子として、より導電性の高い銀やカーボンブラック等を使用することができる。【００１２】  また、本発明ではさらに、前記ハードコート層が、ＪＩＳ＿Ｌ１０９４に準拠した方法で測定した時の帯電電圧の半減期が５分以下であることを特徴とする光ディスク、並びに前記ハードコート層の厚みが３〜１０μｍであることを特徴とする光ディスクを提案する。【００１３】  この構成によると、人体が接触したときの静電気の放電効果が向上するので、本発明の静電気除去及び帯電防止機能がより向上する。
【発明の効果】
【００１４】  本発明によれば、静電気除去及び帯電防止機能の低下を防ぐと共に、さらに静電気の放電効果を向上させた光ディスクを得ることが可能になる。
【発明を実施するための最良の形態】
【００１５】  本発明に係る光ディスクの実施形態についてＤＶＤ±Ｒを例にとって説明する。図１は本発明の第一の実施形態に係るＤＶＤ±Ｒの断面を示す模式図である。この光ディスク１は、透光性基板２、色素を含む記録層３、反射層４を備え、接着層６を介して樹脂基板７が貼り合わされている。さらに、光入射面にはハードコート層８が形成されている。このハードコート層８は、静電気除去機能を有しており、外周縁１０まで被覆形成されている。ディスクの中心部には、ディスクドライブに固定するための孔が設けられており、内周面９が形成されている。【００１６】  このような光ディスクは、次のようにして得られる。まず、ＰＣを射出成形等の方法で厚さ０．６ｍｍの円盤状に成形し、透光性基板２が形成される。このとき溝状のグルーヴ及び凸状のランド（図示せず）が形成される。次に透光性基板２のグルーヴ及びランドが形成されている面に、記録層３をスピンコート等により形成する。記録層３は色素を含む有機材料で形成される。色素としてはアゾ系色素やシアニン系色素が用いられる。次に記録層３上に金属膜で構成される反射層４を蒸着法により形成する。蒸着する金属としては金、銀、アルミニウム等の反射率の高い金属が用いられる。【００１７】  次に、接着剤をスピンコート等で塗布して接着層６を形成する。接着層６に用いる接着剤としてはアクリル系接着剤、エポキシ系接着剤等が挙げられる。この接着層６上に、樹脂基板７を貼り合せ、接着層６を硬化させる。樹脂基板７は、透光性基板２と同じものを用いても良い。次に光入射面にハードコート層８をスピンコート等の方法で外周縁１０に達するまで形成する。ハードコート層８を形成する材料としては、静電気除去及び帯電防止機能を有する材料を用いる。このような材料としては、界面活性剤を樹脂に付加重合させた高分子電解質とハードコート用樹脂との混合物からなるハードコート剤がある。具体的には、例えばＮ，Ｎ−ジメチルアミノエチルアクリレートのような分子骨格の一部にアクリル基を有するアミン類の界面活性剤とアクリル樹脂とを共重合させた高分子電解質のアンモニウム塩とハードコート用樹脂であるアクリルオリゴマーとの混合物からなり、例えば日本化薬（株）製ＨＯＤ−５７０１等がある。このハードコート剤を塗布後、ハードコート層８を硬化させて光ディスク１が得られる。【００１８】  このような光ディスク１は、静電気除去及び帯電防止機能を有するハードコート層８が外周縁１０まで達しているので、ユーザーが光ディスク１に触れるときにハードコート層８が人体に接触し、ここから人体を通して静電気が放電される。【００１９】  なお、このハードコート層８は、ＪＩＳ＿Ｌ１０９４に準拠した方法で測定した時の帯電電圧の半減期が５分以下であることが好ましい。これにより、人体を通した静電気の放電効果が向上する。また、ハードコート層８の厚みは、この帯電電圧の半減期５分以下を実現するため、３μｍ以上であることが好ましい。なお、厚みについては、放電効果という点では上限は特にないが、ハードコート層８を厚くする場合に、例えば重ね塗りを行うと、先に形成した層との間に界面が形成され、光学特性が低下する。また、一度塗りで厚くするために、��料の粘度を高くする等の方法を行うと、層厚みのバラツキが大きくなり、結果光学特性が低下する。よって、光学特性の点から、厚みの上限としては、一度塗りで形成できる上限と考えられる１０μｍが好ましい。【００２０】  続いて本発明に係る光ディスクの第二の実施形態について説明する。図２は本発明の第二の実施形態に係るＤＶＤ±Ｒの断面を示す模式図である。第一の実施形態と異なる点は、ハードコート層８が外周縁１０を越えてさらに外周面１１まで延長して形成されている点である。このような構造を形成する場合、ハードコート層８をスピンコート等の方法で形成するときに、ハードコート層８を形成する材料を外周縁１０からはみ出させるように塗布する。このようにすると、はみ出した分のハードコート層８を形成する材料が外周面１１に伝って塗布される。こうして図２に示された構造が形成される。【００２１】  このような構造を有することにより、ハードコート層８と人体との接触がより確実になされるようになる。よって、光ディスク１の静電気除去及び帯電防止機能をより向上させることができる。【００２２】  続いて本発明に係る光ディスクの第三の実施形態について説明する。図３は本発明の第三の実施形態に係るＤＶＤ±Ｒの断面を示す模式図である。第一及び第二の実施形態と異なる点は、ハードコート層８が外周面１１の接着層６が露出している部分に接触して形成されている点と、接着層６が導電性樹脂で形成されている点である。このような構造を形成する場合、まず、接着層６を形成するとき、接着剤として導電性樹脂を用いる。導電性樹脂としては、エポキシ樹脂系接着剤やアクリル樹脂系接着剤に導電性粒子を分散したものが挙げられる。導電性粒子については、特に制限がなく、光を通す必要がないため、例えば銀等の抵抗率の低い金属や、カーボンブラック等を用いることができる。また、ハードコート層８をスピンコート等の方法で形成するときに、ハードコート層８を形成する材料を外周縁１０からはみ出させ、接着層６が露出している部分まで延びるように塗布する。こうして図３に示された構造が形成される。【００２３】  このような構造では、静電気はハードコート層８から人体を通じて放電される効果と、ハードコート層８から接着層６を通じて、内周面９の接着層６の露出部からディスクドライブへ放電される効果とを有するようになる。接着層６は透光性基板２と樹脂基板７に挟まれており、チャッキング時に接着層６の露出部にかかる外力は、基板表面付近に比べて小さいので、比較的削れにくく、静電気除去及び帯電防止機能の低下が少なくなる。【００２４】  以上のことから、本発明によれば、静電気除去及び帯電防止機能の低下が少なく、さらに静電気の放電効果を向上させた光ディスクが得られる。なお、実施形態の説明では、単層記録層のＤＶＤ±Ｒを例にとって説明したが、多層記録層のＤＶＤ±Ｒ、ブルーレイディスクやＣＤ−Ｒでも同様の効果が得られる。また、ＣＤ−ＲＯＭやＤＶＤビデオ等の追記型でない光ディスクにおいても同様の効果が得られる。
【図面の簡単な説明】
【００２５】
【図１】本発明の第一の実施形態の光ディスクの構造を示す模式断面図である。
【図２】本発明の第二の実施形態の光ディスクの構造を示す模式断面図である。
【図３】本発明の第三の実施形態の光ディスクの構造を示す模式断面図である。
【図４】従来の光ディスクの構造を示す模式断面図であり、（ａ）はＣＤ−Ｒ、（ｂ）はＤＶＤ±Ｒもしくはブルーレイディスクである。
【符号の説明】
【００２６】  １、１ａ、１ｂ  光ディスク
２  透光性基板
３  記録層
４  反射層
５  保護層
６  接着層
７  樹脂基板
８  ハードコート層
【図１】
2007305280.tif 000003
【図２】
2007305280.tif 000004
【図３】
2007305280.tif 000005
【図４】
2007305280.tif 000006